(57)【要約】【課題】画像処理装置の利用者が必要とする画像形成装置を容易に選択することができ、利用者が望む画像処理を円滑に行うことができるようにする。【解決手段】画像形成装置において画像を形成するために画像形成装置にデータを送信するようになっている。ネットワーク上で利用可能な画像形成装置を検出する画像形成装置検出部と、該画像形成装置検出部によって検出された画像形成装置の処理能力を取得し、解析する処理能力解析部と、解析結果に基づいて、画像処理装置の利用者が選択可能な画像形成装置を、該画像形成装置が有する機能と共に表示部１３に表示する画像形成装置管理部とを有する。画像処理装置の利用者は、表示された画像形成装置のうちの、必要とする機能を有する画像形成装置を容易に選択することができる。【選択図】図１
2018013963.tif 000002
【特許請求の範囲】
【請求項１】
画像形成装置において画像を形成するために画像形成装置にデータを送信する画像処理装置において、
（ａ）ネットワーク上で利用可能な画像形成装置を検出する画像形成装置検出部と、
（ｂ）該画像形成装置検出部によって検出された画像形成装置から、画像形成装置の処理能力を取得し、解析する処理能力解析部と、
（ｃ）該処理能力解析部による解析結果に基づいて、画像処理装置の利用者が選択可能な画像形成装置を、該画像形成装置が有する機能と共に表示部に表示する画像形成装置管理部とを有することを特徴とする画像処理装置。
【請求項２】
（ａ）画像形成装置において画像を形成するに当たり、必要とする機能を初期設定として初期設定記憶部に登録する初期設定登録部を有するとともに、
（ｂ）前記画像形成装置管理部は、前記初期設定記憶部に登録された初期設定、及び前記処理能力解析部による解析結果に基づいて、画像処理装置の利用者が選択可能な画像形成装置を前記表示部に表示する請求項１に記載の画像処理装置。
【請求項３】
前記画像処理装置の利用者が選択可能な画像形成装置は、前記初期設定記憶部に登録された初期設定に適合する画像形成装置である請求項１に記載の画像処理装置。
【請求項４】
前記画像形成装置管理部は、画像形成装置検出部によって検出された画像形成装置を表示部に表示する請求項１〜３のいずれか１項に記載の画像処理装置。
【請求項５】
前記画像形成装置管理部は、画像形成装置において画像を形成する際に表示部に形成される印刷画面に、画像処理装置の利用者が選択可能な画像形成装置を表示する請求項１〜４のいずれか１項に記載の画像処理装置。
【請求項６】
前記画像形成装置管理部は、画像処理装置と画像形成装置とを接続するネットワークの接続強度が強い場合に、画像処理装置の利用者が選択可能な画像形成装置を画像形成装置リストに記録する請求項１〜３のいずれか１項に記載の画像処理装置。
【請求項７】
前記請求項１〜６のいずれか１項に記載の画像処理装置を備える画像処理システム。
【発明の詳細な説明】
【技術分野】
【０００１】
本発明は、画像処理装置及び画像処理システムに関するものである。
【背景技術】
【０００２】
従来、画像処理装置としての携帯端末（モバイル端末）を利用して、印刷デバイスである画像形成装置としてのプリンタに印刷データを送信し、プリンタにおいて印刷（画像処理）を行うようにした画像処理システムとしての印刷システムが提供されている。
【０００３】
該印刷システムにおいては、携帯端末が利用者と共に移動するのに伴って、利用可能なプリンタが変化することを考慮して、携帯端末用のＯＳ（Ｏｐｅｒａｔｉｎｇ  Ｓｙｓｔｅｍ）において、携帯端末が置かれた位置で利用可能なプリンタが検出され、検出されたプリンタが携帯端末の表示部に表示されるようになっている。
【０００４】
したがって、携帯端末の利用者は、表示部に表示されたプリンタから所定のプリンタを選択し、印刷を行うことができる（例えば、特許文献１参照。）。
【先行技術文献】
【特許文献】
【０００５】
【特許文献１】特開２０１３−１６１２４６号公報
【発明の概要】
【発明が解決しようとする課題】
【０００６】
しかしながら、前記従来の印刷システムにおいては、表示部に表示された各プリンタが有している機能は表示されないので、携帯端末の利用者は、表示されたプリンタのうちの、必要とする機能を有するプリンタを容易に選択することができない。したがって、携帯端末を利用して、利用者が望む印刷を円滑に行うことができない。
【０００７】
本発明は、前記従来の印刷システムの問題点を解決して、画像処理装置の利用者が必要とする画像形成装置を容易に選択することができ、利用者が望む画像処理を円滑に行うことができる画像処理装置及び画像処理システムを提供することを目的とする。
【課題を解決するための手段】
【０００８】
そのために、本発明の画像処理装置においては、画像形成装置において画像を形成するために画像形成装置にデータを送信するようになっている。
【０００９】
そして、ネットワーク上で利用可能な画像形成装置を検出する画像形成装置検出部と、該画像形成装置検出部によって検出された画像形成装置から、画像形成装置の処理能力を取得し、解析する処理能力解析部と、該処理能力解析部による解析結果に基づいて、画像処理装置の利用者が選択可能な画像形成装置を、該画像形成装置が有する機能と共に表示部に表示する画像形成装置管理部とを有する。
【発明の効果】
【００１０】
本発明によれば、画像処理装置においては、画像形成装置において画像を形成するために画像形成装置にデータを送信するようになっている。
【００１１】
そして、ネットワーク上で利用可能な画像形成装置を検出する画像形成装置検出部と、該画像形成装置検出部によって検出された画像形成装置から、画像形成装置の処理能力を取得し、解析する処理能力解析部と、該処理能力解析部による解析結果に基づいて、画像処理装置の利用者が選択可能な画像形成装置を、該画像形成装置が有する機能と共に表示部に表示する画像形成装置管理部とを有する。
【００１２】
この場合、画像形成装置検出部によって検出された画像形成装置から、画像形成装置の処理能力を取得し、解析する処理能力解析部が配設され、該処理能力解析部による解析結果に基づいて、画像処理装置の利用者が選択可能な画像形成装置が、画像処理装置が有する機能と共に表示部に表示されるので、画像処理装置の利用者は、表示された画像形成装置のうちの、必要とする機能を有する画像形成装置を容易に選択することができる。したがって、画像処理装置を利用して、利用者が望む画像処理を円滑に行うことができる。
【図面の簡単な説明】
【００１３】
【図１】本発明の実施の形態における印刷システムを示すブロック図である。
【図２】本発明の実施の形態における携帯端末の制御部の動作を示す第１のフローチャートである。
【図３】本発明の実施の形態におけるプリンタ初期設定登録画面の例を示す図である。
【図４】本発明の実施の形態における初期設定編集画面の例を示す図である。
【図５】本発明の実施の形態における用紙の向きの各項目を選択するための選択リストの例を示す図である。
【図６】本発明の実施の形態における両面印刷の各項目を選択するための選択リストの例を示す図である。
【図７】本発明の実施の形態における集約印刷の各項目を選択するための選択リストの例を示す図である。
【図８】本発明の実施の形態における携帯端末の制御部の動作を示す第２のフローチャートである。
【図９】本発明の実施の形態におけるプリンタの機能情報の例を示す図である。
【図１０】本発明の実施の形態におけるプリンタの印刷画面の例を示す図である。
【発明を実施するための形態】
【００１４】
以下、本発明の実施の形態について図面を参照しながら詳細に説明する。この場合、画像処理装置としての携帯端末（モバイル端末）と、画像形成装置としてのプリンタとをネットワークを介して接続し、画像処理としての印刷を行うようにした画像処理システムとしての印刷システムについて説明する。
【００１５】
図１は本発明の実施の形態における印刷システムを示すブロック図である。
【００１６】
図において、１０は携帯端末、３０はプリンタである。前記携帯端末１０とプリンタ３０とは、Ｗｉ−Ｆｉ（Ｗｉｒｅｌｅｓｓ  Ｆｉｄｅｌｉｔｙ：登録商標）によってＬＡＮ（Ｌｏｃａｌ  Ａｒｅａ  Ｎｅｔｗｏｒｋ）を介して接続されるか、Ｂｌｕｅｔｏｏｔｈ（登録商標）によって接続され、ネットワーク上で印刷システムを構成する。本実施の形態においては、携帯端末１０とプリンタ３０とがＢｌｕｅｔｏｏｔｈ（登録商標）によって接続される。前記印刷システムにおいては、携帯端末１０がプリンタ３０にデータ、本実施の形態においては、印刷データを送信し、印刷データを受信したプリンタ３０が媒体としての用紙に画像を形成することによって、印刷が行われる。
【００１７】
前記携帯端末１０は、携帯端末１０の利用者が操作して各種の入力を行うための操作部としての入力部１２、利用者に各種の通知を行うための通知部としての表示部１３、携帯端末１０の全体の制御を行う制御部１４、プリンタ３０との間で通信を行う通信部１５、内部ストレージ、ＳＤメモリカード等から成る記憶装置１６等を備える。
【００１８】
なお、本実施の形態においては、前記入力部１２及び表示部１３が一体にされ、液晶タッチパネルによって形成されるようになっているが、入力部１２及び表示部１３を別体で形成することができる。
【００１９】
前記記憶装置１６には、ＯＳ２１、テキストデータ、イメージデータ等の印刷データをプリンタ３０に送り、印刷を行うための印刷アプリケーション２２が記録されるほかに、該印刷アプリケーション２２によって印刷を行うことができ、利用者が選択することができるプリンタの一覧から成る画像形成装置リストとしてのプリンタリスト２４、プリンタ３０の初期設定の一覧から成る初期設定リストとしてのプリンタ初期設定リスト２８等が記録される。なお、前記ＯＳ２１は、携帯端末１０の全体を管理するソフトウェアであり、印刷アプリケーション２２で利用される基本的な機能を提供する。
【００２０】
前記制御部１４は、例えば、ＣＰＵ（Ｃｅｎｔｒａｌ  Ｐｒｏｃｅｓｓｉｎｇ  Ｕｎｉｔ）から成り、前記ＯＳ２１に基づいて動作させられ、記憶装置１６を管理するとともに、記憶装置１６に記録された各種の制御プログラム、データ等に基づいて、利用者が入力部１２を操作することによって入力したデータを取り込んだり、表示部１３の画面にプリンタリスト２４、各種の通知等を表示したりする。
【００２１】
また、前記制御部１４は、各種の制御処理を行うための複数の処理部、本実施の形態においては、前記プリンタリスト２４を作成し、管理する画像形成装置管理部としてのプリンタ管理部Ｐｒ１、ネットワーク上で携帯端末１０と接続され、携帯端末１０によって利用可能な（使用することができる）プリンタ３０を検出する画像形成装置検出部としてのプリンタ検出部Ｐｒ２、該プリンタ検出部Ｐｒ２によって検出されたプリンタの処理能力を取得し、解析する処理能力解析部としてのプリンタ処理能力解析部Ｐｒ３、前記プリンタ管理部Ｐｒ１においてプリンタリスト２４を作成する際に使用されるプリンタ初期設定リスト２８を作成し、管理する初期設定登録部としてのプリンタ初期設定登録部Ｐｒ４等を備える。
【００２２】
前記プリンタ３０は、携帯端末１０の利用者が操作して各種の入力を行うための操作部としての入力部３２、携帯端末１０の利用者に各種の通知を行うための通知部としての表示部３３、プリンタ３０の全体の制御を行う制御部３４、携帯端末１０との間で通信を行う通信部３５、携帯端末１０から受信した印刷データについて印刷を行う印刷部３６、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤ（Ｈａｒｄ  Ｄｉｓｃ）等から成る記憶装置３７等を備える。
【００２３】
なお、本実施の形態においては、前記入力部３２及び表示部３３が一体にされ、液晶タッチパネルによって形成されるようになっているが、入力部３２及び表示部３３を別体で形成することができる。その場合、入力部３２に操作要素として操作ボタン等が配設される。
【００２４】
前記記録装置３７において、ＲＯＭに、制御部３４が制御処理を行うための各種の制御プログラムが、ＲＡＭに、携帯端末１０から受信した印刷データが印刷ジョブ３８として記録される。
【００２５】
前記制御部３４は、例えば、ＣＰＵから成り、記憶装置３７を管理するとともに、記憶装置３７に記録された各種の制御プログラム、印刷ジョブ３８等に基づいて、利用者が入力部３２を操作することによって入力したデータを取り込んだり、表示部３３の画面に各種の通知等を表示したり、記憶装置３７から印刷ジョブ３８を読み出して印刷部３６に送り、印刷を行ったりする。
【００２６】
次に、前記携帯端末１０においてプリンタ初期設定リスト２８を作成する場合の制御部１４の動作について説明する。
【００２７】
図２は本発明の実施の形態における携帯端末の制御部の動作を示す第１のフローチャート、図３は本発明の実施の形態におけるプリンタ初期設定登録画面の例を示す図、図４は本発明の実施の形態における初期設定編集画面の例を示す図、図５は本発明の実施の形態における用紙の向きの各項目を選択するための選択リストの例を示す図、図６は本発明の実施の形態における両面印刷の各項目を選択するための選択リストの例を示す図、図７は本発明の実施の形態における集約印刷の各項目を選択するための選択リストの例を示す図である。
【００２８】
まず、利用者が、携帯端末１０の入力部１２を操作して、印刷を行うに当たり必要となる機能を初期設定として登録すると、前記プリンタ初期設定登録部Ｐｒ４は、記憶装置１６に記録された図示されないプリンタ初期設定登録プログラムを起動し、記憶装置１６からプリンタ初期設定リスト２８を読み出す。
【００２９】
続いて、プリンタ初期設定登録部Ｐｒ４は、表示部１３に、ＧＵＩ（Ｇｒａｐｈｉｃａｌ  Ｕｓｅｒ  Ｉｎｔｅｒｆａｃｅ）によって、図３に示されるようなプリンタ初期設定登録画面ｄｓ１を形成する。
【００３０】
該プリンタ初期設定登録画面ｄｓ１には、記憶装置１６に記録されたプリンタ初期設定リスト２８のプリンタ初期設定Ｇｉ（ｉ＝１、２、…）を表示するプリンタ初期設定表示領域Ａｒ１、新たにプリンタ初期設定をプリンタ初期設定リスト２８に登録する場合にタッチ（押下）するためのキー（新規キー）ｋ１、プリンタ初期設定リスト２８を編集する場合にタッチするためのキー（編集キー）ｋ２、プリンタ初期設定リスト２８のうちの所定のプリンタ初期設定を削除する場合にタッチするためのキー（削除キー）ｋ３、プリンタ初期設定登録画面ｄｓ１における設定内容を承認する場合にタッチするためのキー（ＯＫキー）ｋ４、プリンタ初期設定登録画面ｄｓ１における設定内容をキャンセルする場合にタッチするためのキー（キャンセルキー）ｋ５、及びプリンタ初期設定を携帯端末１０に近接するプリンタだけに適用するかどうかを選択するためのボタンｂｔ１が形成される。なお、キーｋ１〜ｋ５及びボタンｂｔ１によって、入力部１２の操作要素が構成される。
【００３１】
図３においては、プリンタ初期設定表示領域Ａｒ１にプリンタ初期設定Ｇ１として、「両面」、「Ａ３」が表示されている。
【００３２】
前記プリンタ初期設定登録画面ｄｓ１が形成されると、利用者は、プリンタ初期設定を携帯端末１０に近接するプリンタだけに適用するかどうかを選択するためのボタンｂｔ１をオン（ＯＮ）又はオフ（ＯＦＦ）にする。
【００３３】
すなわち、利用者は、プリンタ初期設定を、携帯端末１０に近接するプリンタ、すなわち、携帯端末１０の位置から所定の範囲内にあると判断されるプリンタだけに適用する場合、ボタンｂｔ１をオンにし、プリンタ初期設定を携帯端末１０に近接するプリンタ以外のプリンタにも適用する場合、すなわち、検出されたすべてのプリンタに適用する場合、ボタンｂｔ１をオフする。
【００３４】
次に、利用者は、プリンタ初期設定の登録を変更する。利用者は、新たにプリンタ初期設定をプリンタ初期設定リスト２８に登録する場合、キーｋ１をタッチし、プリンタ初期設定リスト２８に既に登録されているプリンタ初期設定を編集（変更）する場合、前記プリンタ初期設定表示領域Ａｒ１に表示されたプリンタ初期設定Ｇｉのうちの、編集しようとするプリンタ初期設定を選択し、キーｋ２をタッチし、プリンタ初期設定リスト２８に既に登録されているプリンタ初期設定を削除する場合、プリンタ初期設定表示領域Ａｒ１に表示されたプリンタ初期設定Ｇｉのうちの、削除しようとするプリンタ初期設定を選択し、キーｋ３をタッチする。
【００３５】
利用者が、キーｋ１、ｋ２のうちのいずれかのキーをタッチすると、プリンタ初期設定登録部Ｐｒ４は、表示部１３に、図４に示されるような初期設定編集画面ｄｓ２を形成する。
【００３６】
該初期設定編集画面ｄｓ２には、利用者がプリンタ初期設定の名称を入力するための欄ｎ１が形成されるとともに、利用者がプリンタ初期設定の各項目を選択するための欄、本実施の形態においては、用紙の寸法である用紙サイズを選択するための欄ｎ２、印刷の向きを選択するための欄ｎ３、両面印刷を選択するための欄ｎ４、及び１枚の用紙に複数のページを集約して印刷する集約印刷を選択するための欄ｎ５が形成される。
【００３７】
また、前記初期設定編集画面ｄｓ２には、利用者が欄ｎ２〜ｎ５において選択した項目を承認する場合にタッチするためのキー（ＯＫキー）ｋ１１、及び利用者が欄ｎ２〜ｎ５において選択した項目をキャンセルする場合にタッチするためのキー（キャンセルキー）ｋ１２が形成される。なお、欄ｎ１〜ｎ５及びキーｋ１１、ｋ１２によって、入力部１２の操作要素が構成される。
【００３８】
前記初期設定編集画面ｄｓ２において、利用者が各欄ｎ２〜ｎ５をタッチすると、プリンタ初期設定登録部Ｐｒ４はプルダウンメニューから成る選択リストを表示する。すなわち、利用者が、欄ｎ２をタッチすると、用紙サイズ（名称並びに用紙の幅方向及び長さ方向の寸法）の各項目から成る選択リストが表示され、欄ｎ３をタッチすると、図５に示されるように、用紙の向きについて、縦置き及び横置きの各項目から成る選択リストが表示され、欄ｎ４をタッチすると、図６に示されるように、両面印刷について、（無し）、両面−長辺とじ及び両面−短辺とじの各項目から成る選択リストが表示され、欄ｎ５をタッチすると、図７に示されるように、集約印刷について、１、２、４、６、８、９及び１６の、１ページに集約するページ数を表す各項目から成る選択リストが表示される。
【００３９】
したがって、利用者が、入力部１２を操作して、初期設定編集画面ｄｓ２において入力を行い、欄ｎ１にプリンタ初期設定の名称を入力し、例えば、欄ｎ２をタッチしてＡ４判  ２１０×２９７ｍｍの項目を選択し、欄ｎ３をタッチして縦置きの項目を選択し、欄ｎ４をタッチして（無し）の項目を選択し、欄ｎ５をタッチして１の項目を選択し、キーｋ１１をタッチすると、プリンタ初期設定登録部Ｐｒ４は、プリンタ初期設定表示領域Ａｒ１に、用紙サイズをＡ４判  ２１０×２９７ｍｍにし、向きを縦置きにし、両面印刷を（無し）にし、集約印刷を１にするプリンタ初期設定を表示する。なお、各項目において選択した内容をキャンセルする場合、利用者はキーｋ１２をタッチすることによって、初期設定編集画面ｄｓ２の入力をキャンセルすることができる。
【００４０】
続いて、プリンタ初期設定登録部Ｐｒ４は、利用者が初期設定登録画面ｄｓ１においてキーｋ４をタッチするのを待機し、キーｋ４がタッチされると、プリンタ初期設定表示領域Ａｒ１に表示されたプリンタ初期設定を新たにプリンタ初期設定リスト２８に登録するか、プリンタ初期設定リスト２８に登録されたプリンタ初期設定を編集し、プリンタ初期設定表示領域Ａｒ１に表示されたプリンタ初期設定を登録する。このとき、プリンタ初期設定として、携帯端末１０に近接するプリンタだけに適用されるかどうかの情報、本実施の形態においては、ボタンｂｔ１のオン・オフも併せて登録（記録）される。
【００４１】
また、利用者が初期設定登録画面ｄｓ１においてキーｋ４をタッチせず、キーｋ５をタッチすると、プリンタ初期設定登録部Ｐｒ４は、プリンタ初期設定リスト２８へのプリンタ初期設定の新規の登録、プリンタ初期設定リスト２８におけるプリンタ初期設定の編集、及びプリンタ初期設定リスト２８におけるプリンタ初期設定の削除をキャンセルする。
【００４２】
次に、フローチャートについて説明する。
ステップＳ１  プリンタ初期設定登録部Ｐｒ４はプリンタ初期設定登録プログラムを起動する。
ステップＳ２  プリンタ初期設定登録部Ｐｒ４はプリンタ初期設定リスト２８を読み出す。
ステップＳ３  プリンタ初期設定登録部Ｐｒ４は表示部１３にプリンタ初期設定登録画面ｄｓ１を形成する。
ステップＳ４  利用者は初期設定編集画面ｄｓ２において入力を行う。
ステップＳ５  プリンタ初期設定登録部Ｐｒ４はプリンタ初期設定登録画面ｄｓ１においてＯＫボタンがタッチされるのを待機し、ＯＫボタンがタッチされた場合はステップＳ６に進む。
ステップＳ６  プリンタ初期設定登録部Ｐｒ４はプリンタ初期設定をプリンタ初期設定リスト２８に登録し、処理を終了する。
【００４３】
次に、携帯端末１０においてプリンタ初期設定リスト２８に基づいてプリンタリスト２４を作成する場合の制御部１４の動作について説明する。
【００４４】
図８は本発明の実施の形態における携帯端末の制御部の動作を示す第２のフローチャート、図９は本発明の実施の形態におけるプリンタの機能情報の例を示す図である。
【００４５】
まず、利用者が携帯端末１０の入力部１２を操作して、プリンタリスト２４を作成する旨の指示を入力すると、記憶装置１６に記録された印刷アプリケーション２２が起動される。印刷アプリケーション２２が起動されると、制御部１４のプリンタ管理部Ｐｒ１は、プリンタリスト２４を作成するために、プリンタ検出部Ｐｒ２に指示を送り、該プリンタ検出部Ｐｒ２は、ネットワーク上で利用可能なプリンタを検出する。
【００４６】
なお、本実施の形態においては、利用可能なプリンタを検出するに当たり、ウェブサービスであるＷＳＤ（Ｗｅｂ  Ｓｅｒｖｉｃｅｓ  ｏｎ  Ｄｅｖｉｃｅ：登録商標）が使用され、プリンタ検出部Ｐｒ２は、プリンタから送られる情報に含まれる、対応ＰＤＬ（Ｐａｇｅ  Ｄｅｓｃｒｉｐｔｉｏｎ  Ｌａｎｇｕａｇｅ）、ＩＤ等に基づいて、印刷を行うことができるプリンタであるかどうかを判断し、印刷を行うことができるプリンタを、利用可能なプリンタとして検出する。
【００４７】
続いて、プリンタ管理部Ｐｒ１は、記憶装置１６からプリンタ初期設定リスト２８を読み出し、ボタンｂｔ１がオンにされているかどうかによって、プリンタ初期設定が、携帯端末１０に近接するプリンタだけに適用されているかどうかを判断する。
【００４８】
ボタンｂｔ１がオフにされていて、プリンタ初期設定が、携帯端末１０に近接するプリンタだけでなく、検出されたすべてのプリンタに適用される場合、プリンタ管理部Ｐｒ１は、検出されたすべてのプリンタをプリンタリスト２４に記録する。
【００４９】
また、ボタンｂｔ１がオンにされていて、プリンタ初期設定が、携帯端末１０に近接するプリンタだけに適用される場合、プリンタ管理部Ｐｒ１は、携帯端末１０と各プリンタとの距離を確認する。そのために、プリンタ管理部Ｐｒ１は、Ｂｌｕｅｔｏｏｔｈ（登録商標）の接続強度を読み込み、接続強度が強いかどうかによって、携帯端末１０とプリンタとの距離が閾値より短いかどうかを判断する。
【００５０】
Ｂｌｕｅｔｏｏｔｈ（登録商標）の接続強度が弱く、携帯端末１０とプリンタとの距離が閾値以上である場合、プリンタ管理部Ｐｒ１は、接続強度が弱いプリンタをプリンタリスト２４に記録する。
【００５１】
また、Ｂｌｕｅｔｏｏｔｈ（登録商標）の接続強度が強く、携帯端末１０とプリンタとの距離が閾値より短い場合、プリンタ管理部Ｐｒ１は、接続強度が強いプリンタを携帯端末１０に近接するプリンタとする。
【００５２】
続いて、前記プリンタ処理能力解析部Ｐｒ３は、携帯端末１０に近接するプリンタに問い合わせて、プリンタの処理能力を取得し、解析することによって、各プリンタが有する機能の情報、すなわち、機能情報を収集する。
【００５３】
そして、プリンタ管理部Ｐｒ１は、プリンタ処理能力解析部Ｐｒ３の解析結果である各プリンタの機能情報、及びプリンタ初期設定リスト２８の各プリンタ初期設定に基づいて、プリンタ初期設定に適合するプリンタを抽出し、携帯端末１０の利用者が選択可能なプリンタとしてプリンタリスト２４に記録する。
【００５４】
例えば、図９に示されるような、Ｐｒｉｎｔｅｒ  １００、Ｐｒｉｎｔｅｒ  ２００及びＰｒｉｎｔｅｒ  ３００の三つのプリンタが、プリンタ検出部Ｐｒ２によって利用可能なプリンタとして検出されると、プリンタ管理部Ｐｒ１は、Ｂｌｕｅｔｏｏｔｈ（登録商標）の接続強度を読み込み、接続強度に基づいて携帯端末１０と三つのプリンタとの距離が閾値より短いかどうかを判断する。
【００５５】
そして、携帯端末１０とＰｒｉｎｔｅｒ  １００及びＰｒｉｎｔｅｒ  ３００の二つのプリンタとの距離が閾値より短いと判断されると、プリンタ管理部Ｐｒ１は、Ｐｒｉｎｔｅｒ  １００及びＰｒｉｎｔｅｒ  ３００の二つのプリンタを携帯端末１０に近接するプリンタとし、プリンタ処理能力解析部Ｐｒ３は、携帯端末１０に近接するプリンタの処理能力を取得する。
【００５６】
ここで、記憶装置１６から読み出したプリンタ初期設定リスト２８に、用紙サイズとしてＡ３判が選択されたプリンタ初期設定、及び両面印刷として両面−長辺とじが選択されたプリンタ初期設定の二つのプリンタ初期設定が含まれている場合、携帯端末１０に近接するプリンタ、すなわち、Ｐｒｉｎｔｅｒ  １００及びＰｒｉｎｔｅｒ  ３００の二つのプリンタがサポートする用紙サイズ、両面印刷の可否等がプリンタの処理能力として取得される。
【００５７】
この場合、図９に示される各プリンタの機能情報においては、Ｐｒｉｎｔｅｒ  １００及びＰｒｉｎｔｅｒ  ３００の二つのプリンタのうち、Ｐｒｉｎｔｅｒ  １００のプリンタは、用紙サイズとしてＡ３判をサポートしているので、プリンタ管理部Ｐｒ１は、Ｐｒｉｎｔｅｒ  １００−Ａ３のプリンタをプリンタリスト２４に記録する。また、Ｐｒｉｎｔｅｒ  ３００は、両面印刷をサポートしているので、プリンタ管理部Ｐｒ１は、Ｐｒｉｎｔｅｒ  ３００−両面のプリンタをプリンタリスト２４に記録する。
【００５８】
次に、フローチャートについて説明する。
ステップＳ１１  プリンタ検出部Ｐｒ２は利用可能なプリンタを検出する。
ステップＳ１２  プリンタ管理部Ｐｒ１はプリンタ初期設定リスト２８を読み出す。
ステップＳ１３  プリンタ管理部Ｐｒ１はボタンｂｔ１がオンにされているかどうかを判断する。ボタンｂｔ１がオンにされている場合はステップＳ１５に進み、ボタンｂｔ１がオフにされている場合はステップＳ１４に進む。
ステップＳ１４  プリンタ管理部Ｐｒ１は検出されたすべてのプリンタをプリンタリスト２４に記録し、処理を終了する。
ステップＳ１５  プリンタ管理部Ｐｒ１は携帯端末１０と各プリンタとの距離を確認する。
ステップＳ１６  プリンタ管理部Ｐｒ１は携帯端末１０とプリンタとの距離が閾値より短いかどうかを判断する。携帯端末１０とプリンタとの距離が閾値より短い場合はステップＳ１７に進み、携帯端末１０とプリンタとの距離が閾値以上である場合はステップＳ１４に進む。
ステップＳ１７  プリンタ処理能力解析部Ｐｒ３はプリンタの処理能力を取得する。
ステップＳ１８  プリンタ処理能力解析部Ｐｒ３はプリンタの処理能力を解析する。
ステップＳ１９  プリンタ管理部Ｐｒ１はプリンタ初期設定に適合するプリンタをプリンタリスト２４に記録し、処理を終了する。
【００５９】
次に、携帯端末１０において、プリンタリスト２４に基づいて所定のプリンタを選択して印刷を行う場合の制御部の動作について説明する。
【００６０】
図１０は本発明の実施の形態におけるプリンタの印刷画面の例を示す図である。
【００６１】
利用者が、印刷アプリケーション２２を利用してテキストデータ、イメージデータ等の印刷データを作成し、入力部１２を操作して表示部１３の画面へのメニューの表示を指示すると、制御部１４は表示部１３にメニュー画面を形成する。そして、利用者がメニュー画面において印刷を選択すると、プリンタ管理部Ｐｒ１は、表示部１３に印刷画面ｄｓ３を形成する。
【００６２】
該印刷画面ｄｓ３には、印刷データについて印刷を行うときの印刷ページを事前に表示するための印刷ページプレビュー領域Ａｒ１１、利用者が印刷設定の各項目を選択するための欄、本実施の形態においては、プリンタを選択するための欄ｎ１１、印刷データの各ページのうちの印刷を行うページを選択するための欄ｎ１２、及び用紙サイズを選択するための欄ｎ１３が表示される。
【００６３】
また、印刷画面ｄｓ３には、利用者が更に印刷設定を行う場合にタッチするためのキーｋ２１、利用者が印刷の開始を指示する場合にタッチするためのキー（印刷キー）ｋ２２、及び利用者が印刷画面ｄｓ３を閉じる場合にタッチするためのキー（閉じるキー）ｋ２３が形成される。
【００６４】
利用者が各欄ｎ１１〜ｎ１３をタッチすると、プリンタ管理部Ｐｒ１はプルダウンメニューから成る選択リストを表示する。すなわち、利用者が、欄ｎ１１をタッチすると、プリンタ検出部Ｐｒ２によって検出されたプリンタ、及びプリンタリスト２４に記録されたプリンタの各項目から成る選択リストが表示され、欄ｎ１２をタッチすると、印刷を行うページについて、全ページ、現在のページ及びカスタムの各項目から成る選択リストが表示され、欄ｎ１３をタッチすると、用紙サイズの各項目から成る選択リストが表示される。
【００６５】
また、利用者がキーｋ２１をタッチすると、プリンタ管理部Ｐｒ１は、印刷画面ｄｓ３内に、ポップアップウィンドウによって印刷設定画面ｄｓ４を形成する。
【００６６】
該印刷設定画面ｄｓ４には、印刷の向きを選択するための欄ｎ２１、両面印刷を選択するための欄ｎ２２、及び集約印刷を選択するための欄ｎ２３が表示される。利用者が各欄ｎ２１〜ｎ２３をタッチすると、プリンタ管理部Ｐｒ１はプルダウンメニューから成る選択リストを表示する。すなわち、利用者が、欄ｎ２１をタッチすると、図５に示されるように、用紙の向きについて、縦置き及び横置きの各項目から成る選択リストが表示され、欄ｎ２２をタッチすると、図６に示されるように、両面印刷について、（無し）、両面−長辺とじ及び両面−短辺とじの各項目から成る選択リストが表示され、欄ｎ２３をタッチすると、図７に示されるように、集約印刷について、１、２、４、６、８、９及び１６の、集約するページ数を表す各項目から成る選択リストが表示される。
【００６７】
また、前記印刷設定画面ｄｓ４には、利用者が各欄ｎ２１〜ｎ２３において選択した各項目を承認する場合にタッチするためのキー（ＯＫキー）ｋ３１、及び利用者が各欄ｎ２１〜ｎ２３において選択した各項目キャンセルする場合にタッチするためのキー（キャンセルキー）ｋ３２が表示される。なお、欄ｎ１１〜ｎ１３、ｎ２１〜ｎ２３及びキーｋ２１〜ｋ２３、ｋ３１、３２によって、入力部１２の操作要素が構成される。
【００６８】
ところで、前述されたように、利用者が欄ｎ１１をタッチすると、プリンタ検出部Ｐｒ２によって検出されたプリンタ、及びプリンタリスト２４に記録されたプリンタの各項目から成る選択リストが表示されるようになっている。すなわち、印刷画面ｄｓ３に携帯端末１０の利用者が選択可能なプリンタが、プリンタが有する機能と共に表示される。
【００６９】
例えば、選択リストを構成するＰｒｉｎｔｅｒ  １００、Ｐｒｉｎｔｅｒ  １００−Ａ３、Ｐｒｉｎｔｅｒ  ２００、Ｐｒｉｎｔｅｒ  ３００、Ｐｒｉｎｔｅｒ  ３００−両面、…の各プリンタのうちのＰｒｉｎｔｅｒ  １００、Ｐｒｉｎｔｅｒ  ２００及びＰｒｉｎｔｅｒ  ３００の三つのプリンタはプリンタ検出部Ｐｒ２によって検出されたプリンタであり、Ｐｒｉｎｔｅｒ  １００−Ａ３及びＰｒｉｎｔｅｒ  ３００−両面の二つのプリンタはプリンタリスト２４に記録されたプリンタである。すなわち、Ｐｒｉｎｔｅｒ  １００−Ａ３及びＰｒｉｎｔｅｒ  ３００−両面のプリンタが、各プリンタが有する機能と共に印刷画面ｄｓ３に表示される。
【００７０】
したがって、利用者は、欄ｎ１１をタッチし、選択リストにおける各プリンタから任意のプリンタを選択して、印刷を行うことができる。
【００７１】
また、利用者は、選択リストにおける各プリンタのうちのプリンタリスト２４に記録されたプリンタを見て、印刷を行うに当たり必要となる機能を有するプリンタを選択して、印刷を行うことができる。
【００７２】
例えば、利用者は、選択リストにおいて、Ｐｒｉｎｔｅｒ  １００−Ａ３のプリンタを選択した場合、印刷画面ｄｓ３においてページ以外の印刷設定を行うことなく、Ａ３判の用紙に対して印刷を行うことができ、選択リストにおいて、Ｐｒｉｎｔｅｒ  ３００−両面のプリンタを選択した場合、印刷画面ｄｓ３においてページ以外の印刷設定を行うことなく、両面印刷を行うことができる。
【００７３】
また、利用者が、入力部１２を操作して初期設定編集画面ｄｓ２（図４）の入力を行う際に、例えば、欄ｎ２をタッチしてＡ４判  ２１０×２９７ｍｍの項目を選択し、欄ｎ４をタッチして両面−長辺とじの項目を選択した場合、プリンタ初期設定リスト２８に、用紙サイズとしてＡ４判が選択され、両面印刷として両面−長辺とじが選択されたプリンタ初期設定が登録される。その場合、利用者が、印刷画面ｄｓ３において欄ｎ１１をタッチしたときに表示されるプリンタの選択リストに、Ｐｒｉｎｔｅｒ  ３００−Ａ４／両面のプリンタの項目が表示される。
【００７４】
このように、本実施の形態においては、プリンタ検出部Ｐｒ２によって検出されたプリンタから、プリンタの処理能力が取得され、解析され、解析結果に基づいて、携帯端末１０の利用者が選択可能なプリンタが、プリンタが有する機能と共に表示部１３に表示されるので、利用者は、携帯端末１０が置かれた位置で利用可能なプリンタを容易に選択することができる。したがって、携帯端末１０を利用して、利用者が望む印刷を円滑に行うことができる。
【００７５】
また、プリンタにおいて印刷を行うに当たり、必要となる機能が初期設定としてプリンタ初期設定リスト２８に登録されるので、プリンタ初期設定リスト２８に登録された初期設定、及び前記処理能力解析部Ｐｒ３による解析結果に基づいて、携帯端末１０の利用者が必要とする機能を有するプリンタを表示部１３に表示することができる。
【００７６】
したがって、携帯端末１０を利用して、利用者が望む印刷を一層円滑に行うことができる。
【００７７】
さらに、プリンタ初期設定リスト２８に登録されたデフォルトの初期設定を変更することができるので、印刷を行うに当たり、携帯端末１０の利用者が必要とする機能を任意に異ならせることができる。
【００７８】
本実施の形態においては、Ｂｌｕｅｔｏｏｔｈ（登録商標）の接続強度が読み込まれ、接続強度が強いかどうかによって、携帯端末１０とプリンタとの距離が閾値より短いかどうかが判断されるようになっているが、携帯端末１０とプリンタとがＷｉ−Ｆｉ（登録商標）によってＬＡＮを介して接続されている場合は、Ｗｉ−Ｆｉ（登録商標）の接続強度（電波強度）が読み込まれ、接続強度が強いかどうかによって、携帯端末１０とプリンタとの距離が閾値より短いかどうかを判断することができる。
【００７９】
なお、Ｗｉ−Ｆｉ（登録商標）の接続強度は、図１０のプリンタの選択リストに示されるように、４段階で形成された扇形の形状を有するアイコンで表すことができる。アイコンが３段階以上の扇形の形状を有する場合は、接続強度が強く、携帯端末１０とプリンタとの距離が短いと判断することができ、アイコンが１段階の扇形の形状を有する場合は、接続強度が弱く、携帯端末１０とプリンタとの距離が長いと判断することができる。
【００８０】
また、本実施の形態においては、利用者が印刷画面ｄｓ３において欄ｎ１１をタッチすると、プリンタ検出部Ｐｒ２によって検出されたプリンタ、及びプリンタリスト２４に記録されたプリンタの各項目から成る選択リストが表示されるようになっているが、利用者が印刷画面ｄｓ３において欄ｎ１１をタッチしたときに、プリンタリスト２４に記録されたプリンタの各項目だけから成る選択リストを表示するようにすることができる。
【００８１】
そして、本実施の形態においては、利用者が印刷画面ｄｓ３において欄ｎ１１をタッチしたときに表示される選択リストにおいて、携帯端末１０との距離が長いＰｒｉｎｔｅｒ  ２００のプリンタが表示されるようになっているが、携帯端末１０との距離が短いプリンタと区別することができるように、Ｐｒｉｎｔｅｒ  ２００のプリンタを、他のプリンタの表示と異ならせてグレー表示にすることができる。
【００８２】
さらに、本実施の形態においては、携帯端末１０からプリンタ３０に印刷データを送るようにした印刷システムについて説明したが、本発明を、印刷データをＦＡＸデータに変換して携帯端末１０からファクシミリ、複合機等の画像形成装置に送るようにした画像処理システムに適用することができる。
【００８３】
なお、本発明は前記実施の形態に限定されるものではなく、本発明の趣旨に基づいて種々変形させることが可能であり、それらを本発明の範囲から排除するものではない。
【符号の説明】
【００８４】
１０    携帯端末
１３    表示部
３０    プリンタ
Ｐｒ１    プリンタ管理部
Ｐｒ２    プリンタ検出部
Ｐｒ３    処理能力解析部
【図１】
2018013963.tif 000003
【図２】
2018013963.tif 000004
【図３】
2018013963.tif 000005
【図４】
2018013963.tif 000006
【図５】
2018013963.tif 000007
【図６】
2018013963.tif 000008
【図７】
2018013963.tif 000009
【図８】
2018013963.tif 000010
【図９】
2018013963.tif 000011
【図１０】
2018013963.tif 000012